(57)【特許請求の範囲】
【請求項１】
書籍を購入したユーザの情報処理端末にコンテンツデータを提供する書籍コンテンツ提供システムであって、
認証情報を有し、前記書籍に付属する前記認証情報が記憶された媒体と、
書店情報処理端末と、
サーバと、
を具備し、
前記媒体は書込可能な記憶領域を有し、
前記書店情報処理端末は、前記書籍の販売時に追加認証情報を前記媒体の記憶領域に書込み前記認証情報を有効化する認証情報有効化手段を有し、
前記サーバは、
前記有効化された前記認証情報に基づいて、ユーザ認証を行うユーザ認証手段と、
前記ユーザ認証手段で認証したユーザの情報処理端末に対しコンテンツデータを送信するコンテンツデータ送信手段と、
所定のタイミングで、前記認証情報を無効化する無効化手段と、
を有することを特徴とする書籍コンテンツ提供システム。
【請求項２】
前記所定のタイミングは、ユーザの情報処理端末にコンテンツデータを最初に送信してからの期間、またはユーザの情報処理端末にコンテンツデータを送信した回数に基づいて定められることを特徴とする請求項１記載の書籍コンテンツ提供システム。
【請求項３】
前記書店情報処理端末は、更に、前記書籍の販売時に前記媒体の記憶領域に販売日時を書込む手段を有し、
前記所定のタイミングは、前記販売日時から所定期間とすることを特徴とする請求項１または請求項２に記載の書籍コンテンツ提供システム。
【請求項４】
前記認証情報は、書籍の配送先店舗を特定する配送先店舗特定情報を含み、
前記追加認証情報は、書籍の販売店舗を特定する販売店舗特定情報を含み、
前記ユーザ認証手段は、更に、前記配送先店舗特定情報と前記販売店舗特定情報とが一致するか否かの判定を行うことを特徴とする請求項１から請求項３のいずれかに記載の書籍コンテンツ提供システム。
【請求項５】
前記媒体は、認証情報を書込可能な記憶領域を有するＲＦＩＤであることを特徴とする請求項１から請求項４のいずれかに記載の書籍コンテンツ提供システム。
【請求項６】
前記コンテンツデータは、前記書籍の内容に関連するものであることを特徴とする請求項１から請求項５のいずれかに記載の書籍コンテンツ提供システム。
【請求項７】
前記コンテンツデータは、前記書籍の内容の最終部分であることを特徴とする請求項６記載の書籍コンテンツ提供システム。
【請求項８】
請求項１から請求項７のいずれかに記載の書籍コンテンツ提供システムにおける媒体が付属した書籍。
【請求項９】
前記媒体が、袋とじされて前記書籍に付属することを特徴とする請求項８記載の書籍。
【請求項１０】
書籍に付属する認証情報が記憶された媒体と、書店情報処理端末と、サーバとを含む書籍コンテンツ提供システムにおいて、前記書籍を購入したユーザの情報処理端末にコンテンツデータを提供する書籍コンテンツ提供方法であって、
前記書店情報処理端末が、前記書籍の販売時に追加認証情報を前記媒体の書込み可能な記憶領域に書込み前記認証情報を有効化する有効化ステップと、
前記サーバが、前記有効化された前記認証情報に基づいて、ユーザ認証を行うユーザ認証ステップと、
前記サーバが、前記ユーザ認証ステップで認証したユーザの情報処理端末に対しコンテンツデータを送信するコンテンツデータ送信ステップと、
前記サーバが、所定のタイミングで、前記認証情報を無効化する無効化ステップと、
を有することを特徴とする書籍コンテンツ提供方法。
【発明の詳細な説明】
【技術分野】
【０００１】
本発明は書籍コンテンツ提供システム、書籍、サーバ、書籍コンテンツ提供方法に関する。より詳しくは、書籍を購入したユーザにコンテンツデータを提供するための書籍コンテンツ提供システム、書籍、サーバ、書籍コンテンツ提供方法に関する。
【背景技術】
【０００２】
現在、様々な企業が電子書籍ビジネスを検討しており、これに伴う様々なルール、システムの検討や実験、ソフトウェアの開発等がなされている。このような、電子書籍をユーザの端末に配信するシステムの例が特許文献１に示されている。
【０００３】
一方で、このような書籍の電子化は、従来の紙媒体による書籍の販売の鈍化をもたらすことが指摘されている。
【０００４】
また、紙媒体による書籍では、読み終わった書籍が早期に古書店に売られ、古書店にて安価に販売される場合がある。読者にとっては安く書籍が手に入るという利点があり、ビジネスとしても確立されているが、新書の販売を低下させ、新書店や出版会社の不況をもたらす一因となっている。さらに、書籍の万引きの被害も増加傾向にあり、同じく新書店等の収益悪化の要因となっている。
【先行技術文献】
【特許文献】
【０００５】
【特許文献１】特開２００９−１９３３９２号公報
【発明の概要】
【発明が解決しようとする課題】
【０００６】
しかしながら、紙媒体による読書体験は電子書籍では味わえないものでもある。このため、電子書籍を利用した、新しい書籍の楽しみ方を提供することにより、古書店の従来のビジネスを損なうことなく、新書店、出版会社等に新たな収益源をもたらすことが可能なシステムが望まれている。
【０００７】
本発明は、上記の問題点に鑑みてなされたもので、その目的は、新しい書籍の楽しみ方を提供することにより、古書店の従来のビジネスを損なうことなく、新書店、出版会社等に新たな収益源をもたらすことが可能な書籍コンテンツ提供システム等を提供することである。
【課題を解決するための手段】
【０００８】
前述した目的を達するための第１の発明は、書籍を購入したユーザの情報処理端末にコンテンツデータを提供する書籍コンテンツ提供システムであって、認証情報を有し、前記書籍に付属する前記認証情報が記憶された媒体と、書店情報処理端末と、サーバと、を具備し、前記媒体は書込可能な記憶領域を有し、前記書店情報処理端末は、前記書籍の販売時に追加認証情報を前記媒体の記憶領域に書込み前記認証情報を有効化する認証情報有効化手段を有し、前記サーバは、前記有効化された前記認証情報に基づいて、ユーザ認証を行うユーザ認証手段と、前記ユーザ認証手段で認証したユーザの情報処理端末に対しコンテンツデータを送信するコンテンツデータ送信手段と、所定のタイミングで、前記認証情報を無効化する無効化手段と、を有することを特徴とする書籍コンテンツ提供システムである。
【０００９】
前記所定のタイミングは、ユーザの情報処理端末にコンテンツデータを最初に送信してからの期間、またはユーザの情報処理端末にコンテンツデータを送信した回数に基づいて定めることができる。
【００１０】
また、前記書籍または前記媒体は、前記認証情報を有効化するための有効化情報を有し、前記サーバは、前記書籍の販売時に前記有効化情報を読み取った情報処理端末から送信される有効化要求に基づき、前記認証情報を有効化する有効化手段を更に有することが望ましい。
【００１１】
また、前記媒体は認証情報を書込可能な記憶領域を有するＲＦＩＤカードであってもよく、前記サーバは、前記書籍の販売時に前記記憶領域に書き込まれた認証情報を用いてユーザ認証を行うこともできる。
【００１２】
前記コンテンツデータは、前記書籍の内容に関連するものである。例えば、前記書籍の内容の最終部分である。
【００１３】
前述した目的を達するための第２の発明は、第１の発明の書籍コンテンツ提供システムにおける媒体が付属した書籍である。
【００１４】
前記媒体は、袋とじされて前記書籍に付属することが望ましい。
【００１５】
前述した目的を達するための第３の発明は、書籍を購入したユーザの情報処理端末にコンテンツデータを提供する書籍コンテンツ提供システムにおけるサーバであって、前記書籍に付属する媒体が有する認証情報に基づいて、ユーザ認証を行うユーザ認証手段と、前記ユーザ認証手段で認証したユーザの情報処理端末に対しコンテンツデータを送信するコンテンツデータ送信手段と、所定のタイミングで、前記認証情報を無効化する無効化手段と、を有することを特徴とするサーバである。
【００１６】
前述した目的を達するための第４の発明は、書籍に付属する認証情報が記憶された媒体と、書店情報処理端末と、サーバとを含む書籍コンテンツ提供システムにおいて、前記書籍を購入したユーザの情報処理端末にコンテンツデータを提供する書籍コンテンツ提供方法であって、前記書店情報処理端末が、前記書籍の販売時に追加認証情報を前記媒体の書込み可能な記憶領域に書込み前記認証情報を有効化する有効化ステップと、前記サーバが、前記有効化された前記認証情報に基づいて、ユーザ認証を行うユーザ認証ステップと、前記サーバが、前記ユーザ認証ステップで認証したユーザの情報処理端末に対しコンテンツデータを送信するコンテンツデータ送信ステップと、前記サーバが、所定のタイミングで、前記認証情報を無効化する無効化ステップと、を有することを特徴とする書籍コンテンツ提供方法である。

【００１７】
上記構成により、新書店等で書籍を購入したユーザは、カード等の媒体が有するＩＤ等の認証情報を用いて書籍の内容に関連するコンテンツデータを受け取ることができる。
【００１８】
このため、ユーザは書籍を読んでその内容を楽しむとともに、さらに書籍の内容に関するコンテンツを受け取ることができ、新たな書籍の楽しみが提供され、新書等の販売が促進される。
【００１９】
そして、書籍のみを古書店に販売することができる。書籍は古書市場に出回るので、古書店のビジネスモデルが保護される。
【００２０】
また、ＩＤ等の認証情報を、ユーザの情報処理端末にコンテンツデータを最初に送信してからの期間や、ユーザの情報処理端末にコンテンツデータを送信した回数等に基づいて定める所定のタイミングで無効とするので、出版社は、書籍の販売からある一定期間後に、カード（ＩＤ等の認証情報）のみを新書店を通じて販売することができる。
【００２１】
古書店で書籍を購入したユーザは、カード等の媒体を購入することにより上記のコンテンツを楽しむことができる。一方で、出版社（作家）はこれにより新たな収益源を得ることが可能になる。
【００２２】
また、コンテンツデータを、その最終部分など、書籍の内容に関連するものとすることで、古書店で書籍を購入したユーザが、さらにコンテンツデータを受け取る動機付けを行い、新書や古書の販売、コンテンツへのアクセス等を促進することが可能である。
【００２３】
さらに、書籍またはカード等の媒体に、ＩＤ等の認証情報を有効化するための有効化情報をバーコード等で記録し、サーバが、書籍の販売時に有効化情報を読み取った情報処理端末から送信される有効化要求に基づき、認証情報を有効化することで、書籍の万引きやカードの盗難、立ち読み等で取得したＩＤ等の認証情報の利用を防止し、新書店等の利益を守ることができる。
【００２４】
また、媒体として認証情報を書込可能な記憶領域を有するＲＦＩＤカードを用い、書籍の販売時に記憶領域に新たに書込まれた電子署名等の認証情報も用いてユーザ認証を行うこともできる。これにより、更なるセキュリティの強化が図れる。またＲＦＩＤカードの利用により認証情報の入力等を迅速に行うことが可能になるので、使いやすさの実現が図れ、新書や古書の販売、コンテンツへのアクセス等が更に促進される。
【００２５】
また、カード等の媒体は、袋とじして書籍に付属させることができ、これにより、媒体のみの盗難を抑制し、認証情報が立ち読み等により覚えられることを防ぎ、新書店等の利益を守ることができる。
【発明の効果】
【００２６】
本発明により、新しい書籍の楽しみ方を提供することにより、古書店の従来のビジネスを損なうことなく、新書店、出版会社等に新たな収益源をもたらすことが可能な書籍コンテンツ提供システム等を提供することができる。
【図面の簡単な説明】
【００２７】
【図１】書籍コンテンツ提供システムの構成の例を示す図
【図２】書籍に付属するカードの例を示す図
【図３】セキュリティサーバ、コンテンツサーバのハードウェア構成の例を示す図
【図４】書店の情報処理端末のハードウェア構成の例を示す図
【図５】書店の情報処理端末、セキュリティサーバの機能構成の例を示す図
【図６】書籍コンテンツ提供方法の流れの例を示すフローチャート
【図７】書籍コンテンツ提供方法の流れの例を示すフローチャート
【図８】書籍コンテンツ提供方法の流れの例を示すフローチャート
【図９】書籍コンテンツ提供システムの構成の例を示す図
【図１０】書籍の例を示す図
【図１１】セキュリティサーバの機能構成の例を示す図
【図１２】書籍コンテンツ提供システムの構成の例を示す図
【図１３】書籍に付属するカードの例を示す図
【図１４】書店の情報処理端末のハードウェア構成の例を示す図
【図１５】書店の情報処理端末、セキュリティサーバの機能構成の例を示す図
【図１６】書籍コンテンツ提供方法の流れの例を示すフローチャート
【図１７】書籍コンテンツ提供方法の流れの例を示すフローチャート
【発明を実施するための形態】
【００２８】
以下、図面に基づいて本発明の実施形態に係る書籍コンテンツ提供システムについて詳細に説明する。まず、図１から図８を参照しながら、第１の実施形態の書籍コンテンツ提供システム１等について説明する。
【００２９】
図１は、書籍コンテンツ提供システム１の構成を示す図である。図１に示すように、書籍コンテンツ提供システム１は、書店３の情報処理端末４と、書籍１３に付属のカード（媒体）１５と、書店３で書籍１３を購入したユーザの情報処理端末５と、セキュリティサーバ（サーバ）７と、コンテンツサーバ９により構成される。
【００３０】
書店３は、例えば新書店であり、カード１５が付属した書籍１３をユーザに販売する。書籍１３は例えば小説であるが、これに限ることはなく、漫画雑誌等の雑誌などでもよい。書店３もこれに限ることはなく、正規に新書を販売するものであればこれに替えることができる。例えばコンビニエンスストア等でもよい。
【００３１】
カード１５は、ＩＤ等の認証情報などを、印刷により、または電子的に、あるいはその他の方法で記録した媒体である。媒体としてカード１５を用いることにより、後述するカード１５のみの販売が容易になる。但し、媒体はカード１５に限ることはなく、様々な形状、構成、機能のものが適宜利用可能である。
【００３２】
カード１５の表面には、図２（ａ）に示すように、コンテンツページのＵＲＬ１５ａが記載されている。また、ユーザの情報処理端末５で読み取り可能な、ＵＲＬ１５ａを記録したＱＲコード（登録商標）１５ｂ等が記載されていてもよい。
【００３３】
また、図２（ｂ）に示すように、裏面にはコンテンツデータを受信するための認証情報である、カード１５に固有のＩＤ１５ｃとパスワード１５ｄが記載されている。また、表面と同様、ユーザの情報処理端末５で読み取り可能な、ＩＤ１５ｃ等を記録したＱＲコード（登録商標）１５ｅ等が記載されていてもよい。なお、パスワード１５ｄを省略することも可能である。
【００３４】
ＩＤ１５ｃは例えば書籍コードと同等、またはこれに枝番としてカード１５（書籍１３）に固有の値を付加して情報処理装置等により予め生成したものとすることができる。また、カード１５に様々なデザインを施し、それ自体価値のあるものとするようにすることも望ましい。
【００３５】
カード１５は、書籍１３の裏表紙等に、図２（ｃ）に示すように袋とじされている。カード１５は袋１６の内部に封入されており、袋１６は書籍１３の裏表紙等に接着等される。
【００３６】
これはカード１５のみの盗難を抑制し、認証情報が立ち読み等により覚えられることを防ぎ、書店３等の利益を守るためである。但し、書籍１３にカード１５を付属させる方法はこれに限らず、例えばカード１５の裏面（ＩＤ１５ｃ等の認証情報が記載されている面）を直接書籍１３の裏表紙等に接着させるようなものであってもよい。またはカード１５を書籍１３のページの一部とし、カード１５を切り取って用いるようなものでもよい。また、立ち読み等で書籍１３のカード１５に記載された認証情報が覚えられることを防ぐためには、パスワード１５ｄ等、その一部にスクラッチ印刷を施すことも考えられる。これらは、カード１５のみの盗難や認証情報が立ち読み等で覚えられることを防ぐため適宜定めてよい。
【００３７】
加えて、カード１５は、ＵＲＬ１５ａや、ＩＤ１５ｃ（認証情報）を予め記憶領域に記憶させたＲＦＩＤカードであってもよく、この場合、ユーザの情報処理端末５が備えるＲＦＩＤカードの読取部でこれらの情報を読み取ることにより、後述するコンテンツページへのアクセスや認証情報の送信を行うことができる。ＵＲＬ１５ａ、また認証情報としてパスワード１５ｄも用いる場合は、これらをカード１５に記載することもできる。必要に応じて、カード１５を袋とじにより書籍１３に付属させたり、パスワード１５ｄ等にスクラッチ印刷を施したりしてよい。
【００３８】
上記のように、カード１５の盗難等を防ぐための工夫が適宜なされるが、本実施形態では、カード１５のみの盗難や立ち読み等で得られた認証情報に加え、万引き等された書籍１３のカード１５のＩＤ１５ｃ等の認証情報の利用を防ぎ、書店３等の利益を守るため、上記の認証情報について、後述するアクティベート（有効化）処理を行う。このため、袋１６の表面には、これに用いるバーコード１７が記載される。
【００３９】
バーコード１７は、ＩＤ１５ｃやパスワード１５ｄから適切なロジックに基づいて予め生成され、ＩＤ１５ｃ等に紐付く、ＩＤ１５ｃ等の認証情報を有効化するための有効化情報を記録する。なお、バーコード１７は書籍１３で袋１６以外の箇所に印刷されていてもよく、カード１５に印刷されていてもよい。
【００４０】
本実施形態では、書店３に設けられる情報処理端末４は、ユーザへの書籍１３の販売時、書籍１３のバーコード１７をバーコードスキャナ等の読取部で読取るなどして有効化情報を取得し、これを含む有効化要求をネットワーク１０を介してセキュリティサーバ７に送信する。
【００４１】
書籍１３を購入したユーザの情報処理端末５は例えば制御部や入力部、表示部、通信部等を有するコンピュータや携帯端末であり、ネットワーク１１を介してブラウザ機能等によりコンテンツページを表示し、書籍１３の付属のカード１５に記載されたＩＤ１５ｃ等の認証情報を入力することにより、セキュリティサーバ７による認証を経てコンテンツサーバ９からコンテンツデータを受信し表示する。
【００４２】
セキュリティサーバ７は、書籍１３のカード１５のＩＤ１５ｃ等の認証情報を、ＩＤ１５ｃ等の認証情報の有効期間、ＩＤ１５ｃ等の認証情報によるコンテンツデータ送信回数等、その有効性情報などと紐付けて記憶、管理する。また、ユーザの情報処理端末５から入力された認証情報に応じてユーザ認証を行う。そして、認証されたユーザの情報処理端末５に対して、コンテンツサーバ９のコンテンツデータを送信させる。さらに、本実施形態では、前述の有効化要求を受信して、認証情報の有効化を行うとともに、認証情報が有効化済みかどうかを示す情報も前述の有効性情報として記憶する。
【００４３】
コンテンツサーバ９は、コンテンツページのデータやコンテンツデータをデータベースに記憶、管理しており、セキュリティサーバ７にて認証されたユーザの情報処理端末５に、電子書籍等のコンテンツデータを送信する。
【００４４】
コンテンツデータは、その内容や作家等、書籍１３の内容と関連するものが望ましく、例えば小説の最終章等やもう一つの結末等、書籍１３の内容の最終部分とすることができる。その他、作家インタビューや座談会、番外編、本編の一部、などでもよい。書籍１３が漫画雑誌等であれば、その１作品などとすることも考えられる。但し、コンテンツデータは、これに限らず、新書や古書の販売、コンテンツへのアクセス等を促進する目的に応じて、様々に定めることができる。
【００４５】
次に、セキュリティサーバ７、コンテンツサーバ９のハードウェア構成について、図３を用いて説明する。
【００４６】
セキュリティサーバ７、コンテンツサーバ９は、図３に示すように、例えば、制御部２１、記憶部２２、メディア入出力部２３、周辺機器Ｉ／Ｆ部２４、通信部２５、入力部２６、表示部２７等がバス２８を介して接続されて構成される。
【００４７】
制御部２１は、ＣＰＵ、ＲＯＭ、ＲＡＭ等により構成される。ＣＰＵは、記憶部２２、ＲＯＭ、記録媒体等に格納されるプログラムをＲＡＭ上のワークメモリ領域に呼び出して実行し、バス２８を介して接続された各部を駆動制御する。ＲＯＭは、コンピュータのブートプログラムやＢＩＯＳ等のプログラム、データ等を恒久的に保持する。ＲＡＭは、ロードしたプログラムやデータを一時的に保持するとともに、制御部２１が各種処理を行うために使用するワークエリアを備える。
【００４８】
記憶部２２は、ＨＤＤ（ハードディスクドライブ）であり、制御部２１が実行するプログラムや、プログラム実行に必要なデータ、ＯＳ（オペレーティング・システム）等が格納されている。これらのプログラムコードは、制御部２１により必要に応じて読み出されてＲＡＭに移され、ＣＰＵに読み出されて実行される。
【００４９】
メディア入出力部２３（ドライブ装置）は、例えば、フロッピー（登録商標）ディスクドライブ、ＣＤドライブ、ＤＶＤドライブ、ＭＯドライブ等のメディア入出力装置であり、データの入出力を行う。
周辺機器Ｉ／Ｆ（インタフェース）部２４は、周辺機器を接続させるためのポートであり、周辺機器Ｉ／Ｆ部２４を介して周辺機器とのデータの送受信を行う。周辺機器Ｉ／Ｆ部２４は、ＵＳＢ等で構成されており、通常複数の周辺機器Ｉ／Ｆを有する。周辺機器との接続形態は有線、無線を問わない。
【００５０】
通信部２５は、通信制御装置、通信ポート等を有し、ネットワーク等との通信を媒介する通信インタフェースであり、通信制御を行う。
入力部２６は、例えば、キーボード、マウス等のポインティング・デバイス、テンキー等の入力装置であり、入力されたデータを制御部２１へ出力する。
【００５１】
表示部２７は、例えば液晶パネル、ＣＲＴモニタ等のディスプレイ装置と、ディスプレイ装置と連携して表示処理を実行するための論理回路（ビデオアダプタ等）で構成され、制御部２１の制御により入力された表示情報をディスプレイ装置上に表示させる。
バス２８は、各装置間の制御信号、データ信号等の授受を媒介する経路である。
【００５２】
データベース３０は記憶部２２に保持され、セキュリティサーバ７の場合は書籍１３のカード１５のＩＤ１５ｃ等の認証情報や、前述の有効性情報等を記憶、管理する。コンテンツサーバ９の場合は前述のコンテンツデータ等を記憶、管理する。
【００５３】
次に、書店３の情報処理端末４のハードウェア構成の例について、図４を用いて説明する。
【００５４】
情報処理端末４は、図４に示すように、例えば、制御部３１、記憶部３２、メディア入出力部３３、周辺機器Ｉ／Ｆ部３４、通信部３５、入力部３６、表示部３７、読取部３８等がバス３９を介して接続されて構成される。
【００５５】
制御部３１から表示部３７、バス３９はそれぞれ、前述の制御部２１から表示部２７、バス２８とほぼ同様の構成を有するので、説明を省略する。
【００５６】
読取部３８は、バーコード１７等を読み取るためのもので、例えばバーコードスキャナなどで構成される。
【００５７】
次に、書店３の情報処理端末４、セキュリティサーバ７の機能構成について、図５を用いて説明する。
【００５８】
書店３の情報処理端末４は、有効化情報取得手段４１と、有効化要求送信手段４２を有する。
【００５９】
有効化情報取得手段４１は、情報処理端末４の制御部３１が、バーコード１７をバーコードスキャナ等の読取部３８により読み取るなどして、前述の有効化情報を取得するものである。
【００６０】
有効化要求送信手段４２は、情報処理端末４の制御部３１が、ネットワーク１０を介して前述の有効化情報を含む有効化要求をセキュリティサーバ７に送信するものである。なお、有効化要求には、書籍１３を購入した書店３の店舗コードや販売日時等の販売管理情報が含まれていてもよい。
【００６１】
セキュリティサーバ７は、有効化手段４３、無効化手段４４、ユーザ認証手段４５、コンテンツデータ送信手段４６を有し、データベース３０では、有効期間やコンテンツデータ送信回数、認証情報が有効化済みかどうかを示す情報など、その有効性情報をＩＤ１５ｃ等の認証情報に紐付けて記憶、管理する。また、書籍１３が配送された書店３の店舗コードや上記の販売管理情報等もこれと紐付けて記憶、管理することができる。
【００６２】
有効化手段４３は、例えば、セキュリティサーバ７の制御部２１が、有効化要求を受信して、データベース３０に記憶されている、認証情報が有効化済みかどうかを示す情報に有効化済みであることを示す情報を書込み、認証情報を有効化させるものである。ユーザ認証時にはこれを参照し、認証情報が有効化済みである場合、ユーザ認証を有効とし、そうでない場合には、ユーザ認証を無効とする。
【００６３】
無効化手段４４は、例えば、セキュリティサーバ７の制御部２１が、初回にコンテンツデータの送信（指示）を行う際（後述する図７のステップ２０７）に、データベース３０に記憶されている認証情報の有効期間に所定の有効期間を書込むものである。即ち、ユーザ認証時に有効期間を参照し、認証日時が所定の有効期間内にある、または所定の有効期間が書き込まれていない（初回認証時）場合、ユーザ認証を有効とし、認証日時が所定の有効期間を超過している場合には、ユーザ認証を無効とする。これにより所定のタイミング（所定の有効期間の経過）で認証情報を無効化することができる。
【００６４】
所定の有効期間はコンテンツデータの初回送信（指示）時より一定期間とするが、有効化（要求受信）時より一定期間としてもよい。また、これに限らず、新書や古書の販売、コンテンツへのアクセス等を促進する目的に応じて、様々に定めることができる。例えば、所定の有効期間を単に一定期間によるものとし、これを適宜変更するようなものでもよい。この場合は、初回にコンテンツデータの送信（指示）を行う際等に書込む必要はなく、それ以前に書込んでおくことができる。
【００６５】
あるいは、無効化手段４４は、コンテンツデータ送信回数に基づいてＩＤ１５ｃ等の認証情報の無効化を行ってもよい。例えば、セキュリティサーバ７の制御部２１が、コンテンツデータの送信（指示）を行う際（後述する図７のステップ２０７）に、データベース３０に記憶されているコンテンツデータ送信回数にコンテンツデータを送信した回数を書込む。始めは１であり、送信回数に応じて値を１ずつ増やしてゆき、所定の上限値に達すると認証情報を無効化する。即ち、ユーザ認証時には、ＩＤ１５ｃ等の認証情報を用いて、コンテンツデータ送信回数を参照し、値が上限値未満である、または値が書込まれていない（初回認証時）場合、ユーザ認証を有効とするが、値が上限値に達していればユーザ認証を無効とする。こうして所定のタイミング（コンテンツデータ送信回数が上限値に到達）で認証情報を無効化することもできる。
【００６６】
なお、これらは併用してもよい。また、適宜その他の情報を有効性情報として、認証情報の無効化（ユーザ認証の可否判定）のために用いてもよい。
【００６７】
ユーザ認証手段４５は、セキュリティサーバ７の制御部２１が、ユーザの情報処理端末５から入力されたＩＤ１５ｃ等の認証情報に応じて、その正誤や、ＩＤ１５ｃ等と紐付く前述の有効性情報を参照して、ユーザ認証の可否を判定するものである。
【００６８】
コンテンツデータ送信手段４６は、セキュリティサーバ７の制御部２１が、通信部２５等を介してコンテンツサーバ９にコンテンツデータ送信指示を送信するものである。コンテンツサーバ９の制御部２１は、コンテンツデータ送信指示を受信したことに伴って、ユーザの情報処理端末５へコンテンツデータを送信する。
【００６９】
続いて、書籍コンテンツ提供システム１における書籍コンテンツ提供方法の流れについて図６、７、８を用いて説明する。まず、書籍１３の購入と認証情報の有効化の流れについて、図６を用いて説明する。
【００７０】
図６に示すように、ユーザは、まずカード１５が付属した書籍１３を購入する（ステップ１０１）。
【００７１】
書籍１３の購入時、書店３の店員は書籍１３のカード１５を封入した袋１６の表面等に記載されたバーコード１７にバーコードスキャナ等（読取部３８）をかざす。情報処理端末４の制御部３１は、バーコード１７を読み取り、前述の有効化情報を取得する（ステップ１０２）。
【００７２】
そして、情報処理装置４の制御部３１は、この有効化情報を含む有効化要求をネットワーク１０を介してセキュリティサーバ７に送信する（ステップ１０３）。
【００７３】
セキュリティサーバ７は、有効化要求を受信して、これに含まれる有効化情報に紐づくＩＤ１５ｃ等の認証情報を前述のように有効化させる（ステップ１０４）。
【００７４】
また、前述したように、書籍１３を購入した書店３の店舗コード等の販売管理情報を有効化要求とともに送信することもでき、例えばこの店舗コードが、セキュリティサーバ７でＩＤ１５ｃ等の認証情報に紐付けて予め記憶、管理されている、書籍１３が配送された書店３の店舗コードと異なる場合には有効化処理を行わないようにすることも可能である。このように、送信元の店舗コードも参照することで、よりセキュリティを高めることができる。
【００７５】
続いて、コンテンツデータ受信時の流れを図７を用いて説明する。
【００７６】
ユーザは、書籍１３を読み終わった後等で、情報処理端末５からネットワーク１１に接続し、カード１５に記載のＵＲＬ１５ａを入力し、コンテンツページ（不図示）にアクセスする（ステップ２０１）。
【００７７】
そして、コンテンツページに表示された、所定のコンテンツデータを受信するためのコンテンツデータ受信ボタン等をクリックして、コンテンツデータ送信要求を行う（ステップ２０２）。
【００７８】
すると、情報処理端末５には認証画面（不図示）が表示される。ユーザは当該画面上で、認証情報としてカード１５に記載のＩＤ１５ｃ等を入力する。認証情報等は、ネットワーク１１を介してセキュリティサーバ７に送信される（ステップ２０３）。
【００７９】
セキュリティサーバ７はＩＤ１５ｃ等の認証情報を受信し（ステップ２０４）、その正誤や、ＩＤ１５ｃ等の認証情報に紐づく前述の有効性情報等を参照して認証情報が有効である（ＩＤ１５ｃ等の認証情報が正しく、有効性情報の全てが認証情報の有効性を示す）かを判定する。
【００８０】
認証情報を有効と判定した場合（ステップ２０５のＹＥＳ）には、コンテンツサーバ９に対し、情報処理端末５へのコンテンツデータ送信指示を送信する（ステップ２０７）。認証情報が有効でないと判定した場合（ステップ２０５のＮＯ）には、情報処理端末５に認証失敗画面（不図示）を表示させ（ステップ２０６）、再度コンテンツデータの送信要求を待つ。
【００８１】
なお、コンテンツページへのアクセス時に上記のユーザ認証を行い、コンテンツデータ送信時のユーザ認証を省略してもよい。
【００８２】
コンテンツサーバ９は、コンテンツデータ送信指示を受信し（ステップ２０８）、データベース３０に記憶された所定のコンテンツデータをユーザの情報処理端末５へと送信する（ステップ２０９）。ユーザの情報処理端末５は、コンテンツデータを受信して表示する（ステップ２１０）。
【００８３】
この際、コンテンツデータがハードコピーされて第三者に渡されることを抑制するため、コンテンツデータの表示時に重ねて情報処理端末５のＩＰアドレスやｅメールアドレスを表示させるようにしてもよい。
【００８４】
次に、図８を用いて、認証情報の無効化処理の流れについて説明する。
【００８５】
図８（ａ）に示すように、例えば、セキュリティサーバ７は、コンテンツサーバ９へのコンテンツデータ送信指示の送信（図７のステップ２０７）を初回に行った時点で、例えば、前述した所定の有効期間を、ＩＤ１５ｃ等の認証情報に紐付けて記憶するその有効期間に書き込む（ステップ３０１）。所定の有効期間を経過すると（ステップ３０２のＹＥＳ）、ユーザ認証時、認証情報が無効となる（ステップ３０３）。
【００８６】
あるいは、図８（ｂ）に示すように、セキュリティサーバ７は、コンテンツサーバ９へのコンテンツデータ送信指示の送信（図７のステップ２０７）を行った時点で、コンテンツデータを送信した回数を、ＩＤ１５ｃ等の認証情報に紐付けて記憶するコンテンツデータ送信回数に書き込む（ステップ４０１）。前述したように、これが所定の上限値に達すると（ステップ４０２のＹＥＳ）、ユーザ認証時、認証情報が無効となる（ステップ４０３）。
【００８７】
なお、前述したように、上記の有効期間とコンテンツデータ送信回数を併用することもできる。
【００８８】
以上説明したように、本発明の書籍コンテンツ提供システムによれば、書店３で書籍１３を購入したユーザは、カード１５が有するＩＤ１５ｃ等の認証情報を用いて書籍１３の内容に関連するコンテンツデータを受け取ることができる。
【００８９】
このため、ユーザは書籍１３を読んでその内容を楽しむとともに、さらに書籍１３の内容に関するコンテンツを受け取ることができ、新たな書籍１３の楽しみが提供され、新書等の販売が促進される。
【００９０】
そして、書籍１３のみを古書店に販売することができる。書籍１３は古書市場に出回るので、古書店のビジネスモデルが保護される。
【００９１】
また、ＩＤ１５ｃ等の認証情報を所定の有効期間やコンテンツデータ送信回数に基づく所定のタイミングで無効とするので、出版社は、書籍１３の販売からある一定期間後に、カード１５（ＩＤ１５ｃ等の認証情報）のみを新書店を通じて販売することもできる。
【００９２】
古書店で書籍１３を購入したユーザは、カード１５を購入することにより上記のコンテンツを楽しむことができる。なお、ユーザがカード１５を購入してコンテンツを受け取るまでの、認証情報の有効化処理等を含む手順は上記したものと同様とすることができる。一方で、出版社（作家）はこれにより新たな収益源を得ることが可能になる。なお、一つの書籍１３で複数の種類のコンテンツデータを受信できるようにすることも可能で、この場合コンテンツ毎に別のカード１５（ＩＤ１５ｃ等の認証情報）を用いるようにすることもできる。
【００９３】
コンテンツデータ、あるいは書籍１３の内容は、新書や古書の販売、コンテンツへのアクセス等を促進する目的に応じて、様々に定めることができるが、本発明では、コンテンツデータを、その最終部分など、書籍１３の内容に関連するものとしている。
【００９４】
コンテンツが、例えばゲームアイテムやお試しチケット、サンプル品引換等の、書籍１３の内容に関連しないものである場合、それ自体が目的となるなどして、古書店で書籍１３を購入したユーザが、さらにコンテンツデータを受け取る動機となり難く、新書や古書の販売、コンテンツへのアクセス等を促進することが難しい。あるいは抽選券など、有効期間が固定されているものも同様である。
【００９５】
一方、本発明の書籍コンテンツ提供システムでは、上記のようにコンテンツデータを書籍１３の内容に関連するものとすることで、古書店で書籍１３を購入したユーザが、さらにコンテンツデータを受け取る動機付けを行い、新書や古書の販売、コンテンツへのアクセス等を促進することが可能である。
【００９６】
そして、カード１５を袋とじして書籍１３に付属させることにより、カード１５のみの盗難を抑制し、ＩＤ１５ｃ等の認証情報が立ち読み等により覚えられることを防ぎ、書店３等の利益を守ることができる。
【００９７】
さらに、第１の実施形態の書籍コンテンツ提供システム１では、書籍１３またはカード１５に、ＩＤ１５ｃ等の認証情報を有効化するための有効化情報をバーコード１７等で記録し、セキュリティサーバ７が、書籍１３の販売時に有効化情報を読み取った書店３の情報処理端末４から送信される有効化要求に基づき、認証情報を有効化する。これにより、書籍１３の万引きやカード１５の盗難、立ち読み等で取得したＩＤ１５ｃ等の認証情報の利用を防止し、書店３等の利益を守ることができる。
【００９８】
次に、書籍コンテンツ提供システム等の第２の実施形態について、図９から図１１を用いて説明する。第１の実施形態の書籍コンテンツ提供システム１と同様の機能構成を有する要素については、同じ番号を付し、説明を一部省略する。
【００９９】
第２の実施形態の書籍コンテンツ提供システム１００は、図１等で説明した第１の実施形態と同様の構成を有するが、前述のアクティベーション（有効化）のための処理を省略する点で異なる。
【０１００】
図９に示すように、書籍コンテンツ提供システム１００は、書籍１３に付属のカード１５と、書店３で書籍１３を購入したユーザの情報処理端末５と、セキュリティサーバ７と、コンテンツサーバ９により構成される。なお、有効化のための処理が省略されるので、書籍１３の販売は新書店等で通常どおり行われる。
【０１０１】
また、図１０に示すように、書籍１３にはカード１５が袋とじ等により付属するが、有効化情報を記録したバーコード等の記載を必要としない。
【０１０２】
そして、図１１に示すように、セキュリティサーバ７は、無効化手段５１、ユーザ認証手段５２、コンテンツデータ送信手段５３を有し、データベース３０には、ＩＤ１５ｃ等の認証情報に紐付けてその有効期間やコンテンツデータ送信回数などの有効性情報を記憶、管理する。また、書籍１３が配送された書店３の店舗コード等も認証情報と紐付けて記憶、管理することができる。
【０１０３】
無効化手段５１、ユーザ認証手段５２、コンテンツデータ送信手段５３は、図５等で説明した無効化手段４４、ユーザ認証手段４５、コンテンツデータ送信手段４６と同様の機能構成を有する。
【０１０４】
続いて、書籍コンテンツ提供システム１００における書籍コンテンツ提供方法の流れについて説明する。
【０１０５】
なお、書籍１３購入時の流れについては、有効化処理等を特に必要とせず、通常に書籍１３を購入するので、説明を省略する。
【０１０６】
コンテンツページにアクセスし、セキュリティサーバ７による認証を経てコンテンツデータを受信する流れについては図７等に示す第１の実施形態と同様である。
【０１０７】
即ち、ユーザが情報処理端末５よりコンテンツページへアクセスし（ステップ２０１）、コンテンツデータ送信要求を行い（ステップ２０２）、ＩＤ１５ｃ等の認証情報を入力、送信する（ステップ２０３）。
【０１０８】
セキュリティサーバ７は、ＩＤ１５ｃ等の認証情報を受信し（ステップ２０４）、その正誤や、ＩＤ１５ｃ等の認証情報に紐づく前述の有効性情報等を参照してその有効性を判定する（ステップ２０５）。
【０１０９】
そして、認証情報を有効と判定した場合（ステップ２０５のＹＥＳ）、コンテンツデータ送信指示をコンテンツサーバ９に送信する（ステップ２０７）。認証情報が有効でないと判定した場合（ステップ２０５のＮＯ）は、ユーザの情報処理端末５に認証失敗画面を表示させ（ステップ２０６）、再度コンテンツデータ送信要求を待つ。
【０１１０】
コンテンツサーバ９は、コンテンツデータ送信指示を受信し（ステップ２０８）、コンテンツデータをユーザの情報処理端末５へと送信する（ステップ２０９）。ユーザの情報処理端末５は、コンテンツデータを受信して表示する（ステップ２１０）。
【０１１１】
また、認証情報の無効化の処理は、図８等を用いて第１の実施形態で説明したものと同様である。
【０１１２】
即ち、図８（ａ）に示すように、セキュリティサーバ７は、コンテンツサーバ９へのコンテンツデータ送信指示の送信（図７のステップ２０７）を初回に行った時点で、ＩＤ１５ｃ等の認証情報に紐付けて記憶する有効期間に、前述した所定の有効期間を書込む（ステップ３０１）。所定の有効期間を経過すると（ステップ３０２のＹＥＳ）、ユーザ認証時、認証情報が無効となる（ステップ３０３）。
【０１１３】
あるいは、図８（ｂ）に示すように、セキュリティサーバ７は、コンテンツサーバ９へのコンテンツデータ送信指示の送信（図７のステップ２０７）を行った時点で、コンテンツデータを送信した回数を、ＩＤ１５ｃ等の認証情報に紐付けて記憶するコンテンツデータ送信回数に書込む（ステップ４０１）。これが上限値に達すると（ステップ４０２のＹＥＳ）、ユーザ認証時、認証情報が無効となる（ステップ４０３）。
【０１１４】
なお、上記の有効期間とコンテンツデータ送信回数は併用することもできる。
【０１１５】
以上説明した第２の実施形態の書籍コンテンツ提供システム１００によっても、前述した本発明の書籍コンテンツ提供システムについての効果が得られる。さらに、第２の実施形態の書籍コンテンツ提供システム１００は、有効化処理を省略するので、より安価にこれを構築することができる。
【０１１６】
次に、書籍コンテンツ提供システム等の第３の実施形態について、図１２から図１７を用いて説明する。第１、第２の実施形態の書籍コンテンツ提供システム１、１００と同様の機能構成を有する要素については、同じ番号を付し、説明を一部省略する。
【０１１７】
第３の実施形態の書籍コンテンツ提供システム２００は、図１等で説明した第１の実施形態と同様の構成を有するが、書籍１３に付属するカードとして、認証情報を書込可能な記憶領域を有するＲＦＩＤカードを用い、書籍１３の購入時に更に認証情報を書き込む点で異なる。これによりＩＤ等（認証情報）の有効化を行う。
【０１１８】
図１２に示すように、書籍コンテンツ提供システム２００は、書店３の情報処理端末１８と、書籍１３に付属のカード１９と、書店３で書籍１３を購入したユーザの情報処理端末５と、セキュリティサーバ７と、コンテンツサーバ９により構成される。
【０１１９】
そして、カード１９としてデータを書込可能な記憶領域を有するＲＦＩＤカードを用いる。なお、記憶領域には、コンテンツページのＵＲＬ１５ａやカード固有のＩＤ１５ｃ（認証情報）が予め記憶される。但し、図１３（ａ）に表面を、図１３（ｂ）に裏面を示すように、カード１９にＵＲＬ１５ａやＩＤ１５ｃが更に記載されていてもよい。また、ＵＲＬ１５ａを記録したＱＲコード（登録商標）１５ｂが記載されていてもよい。
【０１２０】
そして、書籍１３の購入時に（別の）認証情報を書込みカード１９のＩＤ１５ｃを有効化する。このため、図１０と同様、カード１９は書籍１３に袋とじ等により付属させることができるが、バーコード等を記載する必要はない。
【０１２１】
また、図１４に示すように、書店３の情報処理端末１８には、ＮＦＣ（Ｎｅａｒ  Ｆｉｅｌｄ  Ｃｏｍｍｕｎｉｃａｔｉｏｎ）機能によりカード１９の記憶領域に認証情報等のデータを書込可能な書込部４０が更に備わる。また、読取部３８は、ＮＦＣ機能によりカード１９の記憶領域のデータを読取可能である。
【０１２２】
ユーザの情報処理端末５は、ＮＦＣ機能によりカード１９の記憶領域のデータを読取可能な読取部を更に備える。
【０１２３】
次に、書店３の情報処理端末１８、セキュリティサーバ７の機能構成について、図１５を用いて説明する。
【０１２４】
書店３の情報処理端末１８は有効化手段６１を有する。有効化手段６１は、情報処理端末１８の制御部３１が、書込部４０によりカード１９の記憶領域に認証情報を書込み、カード１９のＩＤ１５ｃ（認証情報）を有効化するものである。
【０１２５】
この認証情報は、例えば書籍１３を購入した書店３の店舗コードや電子署名等である。電子署名は、情報処理端末１８の制御部３１が、カード１９から読み取り取得したＩＤ１５ｃと、セキュリティサーバ７から配信される派生鍵とにより適当な方法で生成する。また、認証情報を書き込む際、販売日時等の販売管理情報を書込んでもよい。
【０１２６】
セキュリティサーバ７は、鍵生成手段６２、鍵情報配信手段６３、無効化手段６４、ユーザ認証手段６５、コンテンツデータ送信手段６６を有し、データベース３０では、有効期間やコンテンツデータ送信回数、書籍１３を配送した書店３の店舗コードなどの有効性情報や、書籍１３を購入した書店３の店舗コード、その他販売日時などの販売管理情報等をＩＤ１５ｃ（認証情報）に紐付けて記憶、管理する。さらに、マスター鍵等も記憶、管理する。
【０１２７】
鍵生成手段６２は、セキュリティサーバ７の制御部２１が、マスター鍵と書籍１３を配送した書店３の店舗コードを用いて、適当な生成方法により派生鍵を生成するものである。
【０１２８】
鍵配信手段６３は、セキュリティサーバ７の制御部２１が、通信部２５等を介して派生鍵を書店３の情報処理端末１８に配信するものである。配信された派生鍵は、情報処理端末１８の記憶部３２に記憶される。なお、セキュリティ対策の観点から、鍵の生成、配信は一定期間毎に生成方法等を変更しながら行い、配信する派生鍵を順次更新することが望ましい。
【０１２９】
無効化手段６４、コンテンツデータ送信手段６６は図５等で説明した無効化手段４４、コンテンツデータ送信手段４６とほぼ同様の機能構成を有する。
【０１３０】
ユーザ認証手段６５は、セキュリティサーバ７の制御部２１が、ユーザの情報処理端末５から入力されたＩＤ１５ｃや電子署名等の認証情報に基づき、その正誤や、有効性情報等を参照し、ユーザ認証の可否を判定するものである。
【０１３１】
続いて、書籍コンテンツ提供システム２００における書籍コンテンツ提供方法の流れについて、図１６、図１７を用いて説明する。まず、図１６を用いて、鍵情報配信の流れについて説明する。
【０１３２】
図１６に示すように、まず、セキュリティサーバ７の制御部２１は、マスター鍵と書籍１３を配送した書店３の店舗コードを用いて派生鍵（鍵情報）を生成する（ステップ４０１）。そして、書店３の情報処理端末１８に、ネットワーク１０を介してこれを配信する（ステップ４０２）。情報処理端末１８は、派生鍵を受信（ステップ４０３）して記憶部３２に記憶する。以上の処理は一定期間毎に生成方法等を変更し派生鍵を変えながら行い、書店３の情報処理端末１８の記憶部３２に記憶される派生鍵を順次更新する。
【０１３３】
次に、図１７を用いて、書籍１３購入時の流れについて説明する。
【０１３４】
ユーザが書店３にて書籍１３を購入する（ステップ５０１）と、書店３の情報処理端末１８は、読取部３８を介してカード１９の記憶領域のＩＤ１５ｃを読取り、ＩＤ１５ｃと派生鍵を用いて電子署名を生成し、認証情報として、電子署名と書籍１３を購入した書店３の店舗コードをカード１９の記憶領域に書き込み、ＩＤ１５ｃを有効化する（ステップ５０２）。
【０１３５】
その後のコンテンツデータ受信の流れは、図７等を用いて第１の実施形態で説明したものとほぼ同様である。即ち、ユーザが情報処理端末５よりコンテンツページへアクセスし（ステップ２０１）、コンテンツデータ送信要求を行い（ステップ２０２）、ＩＤ１５ｃや電子署名等の認証情報を入力、送信する（ステップ２０３）。コンテンツページへのアクセスや、認証情報の入力、送信は、情報処理端末５の読取部でカード１９の記憶領域のデータを読み取ることによりこれを行う。
【０１３６】
セキュリティサーバ７は、ＩＤ１５ｃや電子署名等の認証情報を受信し、ステップ２０４）、その有効性を判定する（ステップ２０５）。この際、セキュリティサーバ７の制御部２１は、ＩＤ１５ｃや電子署名等の正誤や、前述の有効性情報を参照し有効性の判定を行う。電子署名の正誤は、例えば電子署名を復号して得たＩＤが送信されたＩＤ１５ｃと一致するかを比較する等して判定する。
【０１３７】
また、認証情報として送信された上記の店舗コードが、ＩＤ１５ｃに紐づけて記憶されている書籍１３を配送した書店３の店舗コードと一致するかを判定し、一致しなければ認証情報を無効としてもよい。これにより書籍１３を配送した書店３で購入した場合のみを正規のルートで購入したものとし、それ以外の場合はユーザ認証を無効とすることができる。
【０１３８】
そして、認証情報を有効と判定した場合（ステップ２０５のＹＥＳ）、コンテンツデータ送信指示をコンテンツサーバ９に送信する（ステップ２０７）。認証情報が有効でないと判定した場合（ステップ２０５のＮＯ）は、ユーザの情報処理端末に認証失敗画面を表示させ（ステップ２０６）、再度コンテンツデータ送信要求を待つ。
【０１３９】
コンテンツサーバ９は、コンテンツデータ送信指示を受信して（ステップ２０８）、コンテンツデータをユーザの情報処理端末５へ送信する（ステップ２０９）。ユーザの情報処理端末５は、コンテンツデータを受信して表示する（ステップ２１０）。
【０１４０】
また、認証情報（ＩＤ１５ｃ）の無効化の処理は、図８等を用いて第１の実施形態で説明したものと同様である。
【０１４１】
即ち、図８（ａ）に示すように、セキュリティサーバ７は、コンテンツサーバ９へのコンテンツデータ送信指示の送信（図７のステップ２０７）を初回に行った時点で、例えば、ＩＤ１５ｃに紐付けて記憶する有効期間に所定の有効期間を書込む（ステップ３０１）。所定の有効期間を経過すると（ステップ３０２のＹＥＳ）、ＩＤ１５ｃが無効となる（ステップ３０３）。
【０１４２】
あるいは、図８（ｂ）に示すように、セキュリティサーバ７は、コンテンツサーバ９へのコンテンツデータ送信指示の送信（図７のステップ２０７）を行った時点で、コンテンツデータを送信した回数を、ＩＤ１５ｃに紐付けて記憶するコンテンツデータ送信回数に書込む（ステップ４０１）。これが所定の上限値に達すると（ステップ４０２のＹＥＳ）、ＩＤ１５ｃが無効となる（ステップ４０３）。
【０１４３】
これに加え、書籍１３の販売時、カード１９の記憶領域に販売日時を書き込んでおき、当該日時から所定期間経過後、カード１９のＩＤ１５ｃを無効化することもできる。この際、セキュリティサーバ７は、カード１５に書込まれた販売日時と、ユーザ認証の日時とを比較し、所定の有効期間内であれば有効、そうでなければ無効とすることができる。
【０１４４】
以上説明した第３の実施形態の書籍コンテンツ提供システム２００によっても、前述した本発明の書籍コンテンツ提供システムについての効果が得られる。さらに、第３の実施形態の書籍コンテンツ提供システム２００は、カード１９として認証情報等のデータを書込可能な記憶領域を有するＲＦＩＤカードを用い、カード１９の記憶領域に記憶されたＩＤ１５ｃと、記憶領域に新たに書込まれた電子署名等の認証情報を用いてユーザ認証を行うので、更なるセキュリティの強化が図れる。またＲＦＩＤカードの利用により、認証情報の入力等を、ＮＦＣ機能を有するユーザの情報処理装置５の読取部を介して迅速に行うことが可能になるので、使いやすさの実現が図れ、新書や古書の販売、コンテンツへのアクセス等が更に促進される。
【０１４５】
以上、添付図面を参照しながら、本発明に係る書籍コンテンツ提供システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
例えば、各実施形態では、セキュリティサーバとコンテンツサーバを別々のものとして説明したが、これらは一体として構成されていてもよい。また、書店３の情報処理端末とセキュリティサーバ７間のデータの送受信を、ネットワーク１１を介して行ってもよい。
【符号の説明】
【０１４６】
１、１００、２００………書籍コンテンツ提供システム
３………書店
４、５、１８………情報処理端末
７………セキュリティサーバ
９………コンテンツサーバ
１０、１１………ネットワーク
１３………書籍
１５、１９………カード
１５ａ………ＵＲＬ
１５ｃ………ＩＤ
１５ｄ………パスワード
１６………袋
１７………バーコード
【図１】
0005581720.tif 000002
【図２】
0005581720.tif 000003
【図３】
0005581720.tif 000004
【図４】
0005581720.tif 000005
【図５】
0005581720.tif 000006
【図６】
0005581720.tif 000007
【図７】
0005581720.tif 000008
【図８】
0005581720.tif 000009
【図９】
0005581720.tif 000010
【図１０】
0005581720.tif 000011
【図１１】
0005581720.tif 000012
【図１２】
0005581720.tif 000013
【図１３】
0005581720.tif 000014
【図１４】
0005581720.tif 000015
【図１５】
0005581720.tif 000016
【図１６】
0005581720.tif 000017
【図１７】
0005581720.tif 000018